【手続補正書】
【提出日】平成24年11月27日(2012.11.27)
【手続補正１】
【補正対象書類名】特許請求の範囲
【補正対象項目名】全文
【補正方法】変更
【補正の内容】
【特許請求の範囲】
【請求項１】
少なくとも一つのプロセッサ及び一つのストレージシステムを含むデータ管理システムにおけるデータメンテナンス方法であって、
データの一つ以上のソース要素を提供する第１のデータソースをアクセスすること；
それぞれが少なくとも一つのデータ要素を含む一つ以上のデータのサブセットを格納するとともに、一つのサブセットに対する一つのデータソースを特定し且つ前記サブセットの一つ以上の要素のそれぞれに対する一つのデータソースを特定する一つ以上の記述子を格納する、ストレージシステムをアクセスすること；及び、
前記記述子に従って、前記ストレージシステム内の要素の変更が許可されているか否かを判別する規則を処理すること；
を含む方法。
【請求項２】
規則の少なくとも一つは、少なくとも一つの記述子に従って、前記ストレージシステム内の要素を置換するために前記ソース要素のいずれかが使用されるべきか否かを判別する請求項１に記載の方法。
【請求項３】
規則の少なくとも一つは、少なくとも一つの記述子に従って、対応するソース要素が削除されていることに応答して前記ストレージシステム内の要素が削除されるべきか否かを判別する請求項１に記載の方法。
【請求項４】
さらに、前記第１のデータソースによって提供される前記ソース要素と異なる一つ以上のデータのソース要素を提供する第２のデータソースをアクセスすることを含む請求項１に記載の方法。
【請求項５】
前記第１のソースデータは前記サブセットに対する前記データソースであり、前記第２のデータソースは前記サブセットの要素の少なくとも一つに対する前記データソースである、請求項４に記載の方法。
【請求項６】
前記記述子の少なくとも一つは一つのサブセットに対する一つのデータソースを特定し、前記記述子の少なくとも他の一つは前記サブセットの一つの要素に対する他の一つのデータソースを特定する請求項１に記載の方法。
【請求項７】
前記規則の少なくとも一つはユーザ入力を必要とする請求項１に記載の方法。
【請求項８】
前記規則の少なくとも一つはユーザ入力なしに自動的に取り扱われる請求項１に記載の方法。
【請求項９】
さらに、前記規則を含むメンテナンス計画をアクセスすることを含む請求項１に記載の方法。
【請求項１０】
前記メンテナンス計画は、どのソース要素が前記ストレージシステム内のどのデータ要素に対応するかを示すマッピングを含む請求項９に記載の方法。
【請求項１１】
前記第１のデータソースは、ユーザの直接入力を受け取るユーザインターフェースを含む請求項１に記載の方法。
【請求項１２】
前記データはレコードを含み、前記レコードの各々は多数のフィールドにおいてデータ要素を格納する請求項１に記載の方法。
【請求項１３】
記述子は所与のレコードの変更を制御するレコード所有者を特定する請求項１２に記載の方法。
【請求項１４】
前記レコード所有者は前記所与のレコードの削除を制御する請求項１３に記載の方法。
【請求項１５】
前記レコード所有者は前記所与のレコードを生成した請求項１３に記載の方法。
【請求項１６】
記述子は所与のレコードの所与のフィールドに格納されたデータ要素の変更を制御するフィールド所有者を特定する請求項１２に記載の方法。
【請求項１７】
前記フィールド所有者は前記所与のフィールド内に格納されたデータ要素の更新を制御する請求項１６に記載の方法。
【請求項１８】
さらに、ユーザインターフェースをユーザに提供し且つ前記ユーザから前記ストレージシステムのデータ要素に関係する決定を受け取ることを含む請求項１に記載の方法。
【請求項１９】
データをメンテナンスするシステムであって、
少なくとも一つのデータ要素をそれぞれが含む一つ以上のデータのサブセットと、
それぞれが一つのサブセットに対する一つのデータソースを特定し且つ前記サブセットの一つ以上の要素の各々に対する一つのデータソースを特定する一つ以上の識別子と、
を格納するストレージシステム；
データの一つ以上のソース要素を提供する第１のデータソース；及び、
前記記述子に従って、前記ストレージシステム内の要素の変更が許可されているか否かを判別する規則を処理するように構成されたデータマネージャ；
を含むシステム。
【請求項２０】
規則の少なくとも一つは、少なくとも一つの記述子に従って、前記ソース要素のいずれかが前記ストレージシステム内のデータ要素を置換するために使用されるべきであるか否かを判別する請求項１９に記載のシステム。
【請求項２１】
規則の少なくとも一つは、少なくとも一つの記述子に従って、前記ストレージシステム内の要素が、対応するソース要素が削除されていることに応答して、削除されるべきか否かを判別する請求項１９に記載のシステム。
【請求項２２】
さらに、前記第１のデータソースによって提供される前記ソース要素と異なるデータの一つ以上のソース要素を提供する第２のデータソースを含む請求項１９に記載のシステム。
【請求項２３】
前記第１のソースデータは前記サブセットに対する前記データソースであり、前記第２のデータソースは前記サブセットの少なくとも一つの要素に対する前記データソースである請求項２２に記載のシステム。
【請求項２４】
前記記述子の少なくとも一つは一つのサブセットに対する一つのデータソースを特定し、前記記述子の少なくとも他の一つは前記サブセットの一つの要素に対する他の一つのデータソースを特定する請求項１９に記載のシステム。
【請求項２５】
前記規則の少なくとも一つはユーザ入力を必要とする請求項１９に記載のシステム。
【請求項２６】
前記規則の少なくとも一つはユーザ入力なしに自動的に取り扱われる請求項１９に記載のシステム。
【請求項２７】
前記データマネージャは前記規則を含むメンテナンス計画に従って作動する請求項１９に記載のシステム。
【請求項２８】
前記メンテナンス計画はどのソース要素が前記ストレージシステム内のどの要素に対応するかを示すマッピングを含む請求項２７に記載のシステム。
【請求項２９】
前記第１のデータソースはユーザの直接入力を受け取るユーザインターフェースを含む請求項１９に記載のシステム。
【請求項３０】
前記データはレコードを含み、前記レコードの各々は多数のフィールドにおいてデータ要素を格納する請求項１９に記載のシステム。
【請求項３１】
記述子は所与のレコードの変更を制御するレコード所有者を特定する請求項３０に記載のシステム。
【請求項３２】
前記レコード所有者は前記所与のレコードの削除を制御する請求項３１に記載のシステム。
【請求項３３】
前記レコード所有者は前記所与のレコードを生成した請求項３１に記載のシステム。
【請求項３４】
記述子は所与のレコードの所与のフィールドに格納されたデータ要素の変更を制御するフィールド所有者を特定する請求項３０に記載のシステム。
【請求項３５】
前記フィールド所有者は前記所与のフィールド内に格納された前記データ要素の更新を制御する請求項３４に記載のシステム。
【請求項３６】
さらに、前記ストレージシステムのデータ要素に関係するユーザの決定を前記マネージャに提供するユーザインターフェースを含む請求項１９に記載のシステム。
【請求項３７】
データ管理システムにおいてデータのメンテナンスを行うシステムであって、
データの一つ以上のソース要素を提供する第１のデータソースをアクセスする手段；
それぞれが少なくとも一つのデータ要素を含む一つ以上のデータのサブセットを格納するとともに、一つのサブセットの一つのデータソースを特定し且つ前記サブセットのそれぞれの要素に対する一つのデータソースを特定する一つ以上の記述子を格納する、ストレージシステムをアクセスする手段；及び、
前記記述子に従って、前記ストレージシステム内の要素の変更が許可されているか否かを判別する規則を処理する手段；
を含むシステム。
【請求項３８】
データ管理システムにおけるデータのメンテナンスを行うコンピュータプログラムを格納するコンピュータ読み出し可能媒体であって、前記コンピュータプログラムはコンピュータに、
データの一つ以上のソース要素を提供する第１のデータソースをアクセスさせ；
それぞれが少なくとも一つのデータ要素を含む一つ以上のデータのサブセットを格納するとともに、一つのサブセットに対する一つのデータソースを特定し且つ前記サブセットの要素のそれぞれに対する一つのデータソースを特定する一つ以上の記述子を格納する、ストレージシステムをアクセスさせ；且つ、
前記記述子に従って、前記ストレージシステム内の要素の変更が許可されているか否かを判別する規則を処理させる；
命令を含むコンピュータ読み出し可能媒体。
【請求項３９】
前記規則の少なくとも一つは前記ストレージシステム内の前記要素を第１のフォーマットから第２のフォーマットに変換する請求項１に記載の方法。
【請求項４０】
前記規則の少なくとも一つは前記ストレージシステム内の前記要素が同要素のコンテクストにおいて有効な形式であるか否かを判別する請求項１に記載の方法。
【請求項４１】
前記規則の少なくとも一つは前記ストレージシステム内の前記要素の前記データソースの構成の変更を取り扱う請求項１に記載の方法。
【請求項４２】
前記規則の少なくとも一つは前記ストレージシステム内の前記要素を第１のフォーマットから第２のフォーマットに変換する請求項１９に記載のシステム。
【請求項４３】
前記規則の少なくとも一つは前記ストレージシステム内の前記要素が同データ要素のコンテクストにおいて有効な形式であるか否かを判別する請求項１９に記載のシステム。
【請求項４４】
前記規則の少なくとも一つは前記ストレージシステム内の前記要素の前記データソースの構成の変更を取り扱う請求項１９に記載のシステム。
【請求項４５】
規則の少なくとも一つは、少なくとも一つの記述子に従って、前記ストレージシステム内の要素を置換するために前記ソース要素のいずれかが使用されるべきか否かを判別する請求項３７に記載のシステム。
【請求項４６】
規則の少なくとも一つは、少なくとも一つの記述子に従って、対応するソース要素が削除されていることに応答して前記ストレージシステム内の要素が削除されるべきか否かを判別する請求項３７に記載のシステム。
【請求項４７】
さらに、前記第１のデータソースによって提供される前記ソース要素と異なる一つ以上のデータのソース要素を提供する第２のデータソースをアクセスする手段を含む請求項３７に記載のシステム。
【請求項４８】
前記第１のソースデータは前記サブセットに対する前記データソースであり、前記第２のデータソースは前記サブセットの要素の少なくとも一つに対する前記データソースである、請求項４７に記載のシステム。
【請求項４９】
前記記述子の少なくとも一つは一つのサブセットに対する一つのデータソースを特定し、前記記述子の少なくとも他の一つは前記サブセットの一つの要素に対する他の一つのデータソースを特定する請求項３７に記載のシステム。
【請求項５０】
前記規則の少なくとも一つはユーザ入力を必要とする請求項３７に記載のシステム。
【請求項５１】
前記規則の少なくとも一つはユーザ入力なしに自動的に取り扱われる請求項３７に記載のシステム。
【請求項５２】
前記規則を処理する手段は、前記規則を含むメンテナンス計画に従って作動する請求項３７に記載のシステム。
【請求項５３】
前記メンテナンス計画は、どのソース要素が前記ストレージシステム内のどのデータ要素に対応するかを示すマッピングを含む請求項５２に記載のシステム。
【請求項５４】
前記第１のデータソースは、ユーザの直接入力を受け取るユーザインターフェースを含む請求項３７に記載のシステム。
【請求項５５】
前記データはレコードを含み、前記レコードの各々は多数のフィールドにおいてデータ要素を格納する請求項３７に記載のシステム。
【請求項５６】
記述子は所与のレコードの変更を制御するレコード所有者を特定する請求項５５に記載のシステム。
【請求項５７】
前記レコード所有者は前記所与のレコードの削除を制御する請求項５６に記載のシステム。
【請求項５８】
前記レコード所有者は前記所与のレコードを生成した請求項５６に記載のシステム。
【請求項５９】
記述子は所与のレコードの所与のフィールドに格納されたデータ要素の変更を制御するフィールド所有者を特定する請求項５５に記載のシステム。
【請求項６０】
前記フィールド所有者は前記所与のフィールド内に格納されたデータ要素の更新を制御する請求項５９に記載のシステム。
【請求項６１】
さらに、ユーザインターフェースをユーザに提供し且つ前記ユーザから前記ストレージシステムのデータ要素に関係する決定を受け取る手段を含む請求項３７に記載のシステム。
【請求項６２】
前記規則の少なくとも一つは前記ストレージシステム内の前記要素を第１のフォーマットから第２のフォーマットに変換する請求項３７に記載のシステム。
【請求項６３】
前記規則の少なくとも一つは前記ストレージシステム内の前記要素が同要素のコンテクストにおいて有効な形式であるか否かを判別する請求項３７に記載のシステム。
【請求項６４】
前記規則の少なくとも一つは前記ストレージシステム内の前記要素の前記データソースの構成の変更を取り扱う請求項３７に記載のシステム。
【請求項６５】
規則の少なくとも一つは、少なくとも一つの記述子に従って、前記ストレージシステム内の要素を置換するために前記ソース要素のいずれかが使用されるべきか否かを判別する請求項３８に記載のコンピュータ読み出し可能媒体。
【請求項６６】
規則の少なくとも一つは、少なくとも一つの記述子に従って、対応するソース要素が削除されていることに応答して前記ストレージシステム内の要素が削除されるべきか否かを判別する請求項３８に記載のコンピュータ読み出し可能媒体。
【請求項６７】
さらに、前記第１のデータソースによって提供される前記ソース要素と異なる一つ以上のデータのソース要素を提供する第２のデータソースをアクセスする命令を含む請求項３８に記載のコンピュータ読み出し可能媒体。
【請求項６８】
前記第１のソースデータは前記サブセットに対する前記データソースであり、前記第２のデータソースは前記サブセットの要素の少なくとも一つに対する前記データソースである、請求項６７に記載のコンピュータ読み出し可能媒体。
【請求項６９】
前記記述子の少なくとも一つは一つのサブセットに対する一つのデータソースを特定し、前記記述子の少なくとも他の一つは前記サブセットの一つの要素に対する他の一つのデータソースを特定する請求項３８に記載のコンピュータ読み出し可能媒体。
【請求項７０】
前記規則の少なくとも一つはユーザ入力を必要とする請求項３８に記載のコンピュータ読み出し可能媒体。
【請求項７１】
前記規則の少なくとも一つはユーザ入力なしに自動的に取り扱われる請求項３８に記載のコンピュータ読み出し可能媒体。
【請求項７２】
さらに、前記規則を含むメンテナンス計画をアクセスする命令を含む請求項３８に記載のコンピュータ読み出し可能媒体。
【請求項７３】
前記メンテナンス計画は、どのソース要素が前記ストレージシステム内のどのデータ要素に対応するかを示すマッピングを含む請求項７２に記載のコンピュータ読み出し可能媒体。
【請求項７４】
前記第１のデータソースは、ユーザの直接入力を受け取るユーザインターフェースを含む請求項３８に記載のコンピュータ読み出し可能媒体。
【請求項７５】
前記データはレコードを含み、前記レコードの各々は多数のフィールドにおいてデータ要素を格納する請求項３８に記載のコンピュータ読み出し可能媒体。
【請求項７６】
記述子は所与のレコードの変更を制御するレコード所有者を特定する請求項７５に記載のコンピュータ読み出し可能媒体。
【請求項７７】
前記レコード所有者は前記所与のレコードの削除を制御する請求項７６に記載のコンピュータ読み出し可能媒体。
【請求項７８】
前記レコード所有者は前記所与のレコードを生成した請求項７６に記載のコンピュータ読み出し可能媒体。
【請求項７９】
記述子は所与のレコードの所与のフィールドに格納されたデータ要素の変更を制御するフィールド所有者を特定する請求項７５に記載のコンピュータ読み出し可能媒体。
【請求項８０】
前記フィールド所有者は前記所与のフィールド内に格納されたデータ要素の更新を制御する請求項７９に記載のコンピュータ読み出し可能媒体。
【請求項８１】
さらに、ユーザインターフェースをユーザに提供し且つ前記ユーザから前記ストレージシステムのデータ要素に関係する決定を受け取る命令を含む請求項３８に記載のコンピュータ読み出し可能媒体。
【請求項８２】
前記規則の少なくとも一つは前記ストレージシステム内の前記要素を第１のフォーマットから第２のフォーマットに変換する請求項３８に記載のコンピュータ読み出し可能媒体。
【請求項８３】
前記規則の少なくとも一つは前記ストレージシステム内の前記要素が同要素のコンテクストにおいて有効な形式であるか否かを判別する請求項３８に記載のコンピュータ読み出し可能媒体。
【請求項８４】
前記規則の少なくとも一つは前記ストレージシステム内の前記要素の前記データソースの構成の変更を取り扱う請求項３８に記載のコンピュータ読み出し可能媒体。